(57)【要約】      （修正有）【課題】ダンサーローラー装置の構成がシンプルであると共に専用のモーターを用いなくてもロール状帯状台紙片持保持ローラーを円滑に回転させることができる片持型帯状台紙供給装置を提供する。【解決手段】片持型帯状台紙供給装置１０にはロール状帯状台紙片持保持ローラー１８が設けられている。ロール状帯状台紙片持保持ローラー１８のロール状帯状台紙片持保持ローラーシャフト２０の基端部には第１永久磁石が固定されている。ケーシング１４の内部にはリング状の第２永久磁石が設けられ、第１永久磁石が回転可能に挿入されている。ダンサーローラー装置６０は帯状台紙にテンションを掛けるダンサーローラー６１と、ダンサーローラー６１の上下動をガイドするダンサーローラーガイド体６２とから構成されている。【選択図】図１
0003199254.tif 000002
【実用新案登録請求の範囲】
【請求項１】
ロール状に巻かれた帯状台紙を保持するロール状帯状台紙保持ローラーと、このロール状帯状台紙保持ローラーに保持された前記帯状台紙を送出方向に送り出す送出ローラーと、前記帯状台紙を巻き取る紙巻取ローラーと、を備えると共に前記帯状台紙を印刷装置に供給する帯状台紙供給装置において、この帯状台紙供給装置のケーシングに突設されると共にロール状に巻かれた帯状台紙を手前側から取り付けることができるロール状帯状台紙片持保持ローラーと、このロール状帯状台紙片持保持ローラーを構成するロール状帯状台紙片持保持ローラーシャフトと、このロール状帯状台紙片持保持ローラーシャフトの基端部に設けられた円柱状の第１磁石と、前記ケーシングに内設されると共に前記第１磁石が回転可能に挿入される挿入孔を形成した円筒状の第２磁石と、前記ケーシングに設けられると共に前記帯状台紙にテンションをかけるダンサーローラー装置と、このダンサーローラー装置を構成すると共に前記帯状紙の中間部に載置されて帯状台紙に直接テンションをかけるダンサーローラーと、このダンサーローラーを上下方向移動自在にガイドするダンサーローラーガイド体と、を有してなることを特徴とする片持型帯状台紙供給装置。
【請求項２】
ロール状に巻かれた帯状台紙を保持するロール状帯状台紙保持ローラーと、このロール状帯状台紙保持ローラーに保持された前記帯状台紙を送出方向に送り出す送出ローラーと、前記帯状台紙を巻き取る紙巻取ローラーと、を備えると共に前記帯状台紙を印刷装置に供給する帯状台紙供給装置において、この帯状台紙供給装置のケーシングのケーシング正面板から突設されると共にロール状に巻かれた帯状台紙を手前側から取り付けることができるロール状帯状台紙片持保持ローラーと、このロール状帯状台紙片持保持ローラーを構成するロール状帯状台紙片持保持ローラーシャフトと、このロール状帯状台紙片持保持ローラーシャフトの基端部にロール状帯状台紙片持保持ローラーシャフトと同軸上に設けられた円柱状の第１磁石と、前記ケーシングに内設されると共に前記第１磁石が回転可能に挿入される挿入孔を形成した円筒状の第２磁石と、前記ケーシングのケーシング正面板に設けられると共に前記帯状台紙にテンションをかけるダンサーローラー装置と、このダンサーローラー装置を構成すると共に前記帯状紙の中間部に載置されて帯状台紙に直接テンションをかけるダンサーローラーと、このダンサーローラーを上下方向移動自在にガイドするダンサーローラーガイド体と、を有してなることを特徴とする片持型帯状台紙供給装置。
【請求項３】
前記第１磁石を永久磁石でＳ極に、前記第２磁石を永久磁石でＮ極にすると共に前記第１磁石の外周面と第２磁石に形成された挿入孔の内周面との間に間隙を設けたことを特徴とする請求項１、請求項２記載のいずれか１項に記載の片持型帯状台紙供給装置。
【請求項４】
前記ダンサーローラーシャフトの基端部にはスライド摺動部を形成し、前記ダンサーローラーガイドには上下方向に向かってスライド摺動部が嵌入収容されるガイド溝を形成したことを特徴とする請求項１、請求項２、請求項３のいずれか１項に記載の片持型帯状台紙供給装置。
【考案の詳細な説明】
【技術分野】
【０００１】
本考案は、主に印刷機等で印刷されるラベルが仮着された帯状台紙を円滑に印刷装置に供給することができる片持型帯状台紙供給装置に関する。
【背景技術】
【０００２】
一面にラベルが所定のピッチ間隔で連続して多数仮着されたロール状の帯状台紙を保持する台紙保持軸を設けた供給部と、この供給部から供給された前記帯状台紙に仮着されたラベルに所定内容を印刷する印刷部と、この印刷部で所定内容が印刷されたラベルを帯状台紙から剥がす剥離部と、前記ラベルが剥がされた帯状台紙を巻き取る巻取軸を設けてなる巻取部を設けたラベル貼付装置が提案されている。
このラベル貼付装置には前記帯状台紙が弛むことによりラベルへの印刷が不具合を起こすことを防止すると共にラベルが剥がされた帯状台紙を台紙巻取軸に円滑に巻き取るようにするために、前記帯状台紙にテンションをかけるダンサーローラーが設けられている。
このダンサーローラーは前記帯状台紙にテンションをかけるために帯状台紙に当接しながら上下方向に移動できるようになっている（例えば、特許文献１）。
【先行技術文献】
【特許文献】
【０００３】
【特許文献１】特開２００３−１３７２３３号
【考案の概要】
【考案が解決しようとする課題】
【０００４】
しかしながら前記ダンサーローラーを上下方向に移動させるためには複雑な構造が必要になると共に部品点数が大幅に増加して製品の提供価格が高くなるという課題がある。
また、前記台紙保持軸に保持されるロール状の帯状台紙はラベル印刷が開始されると送出ローラーに巻き出されて直径が徐々に小径になると共に軽量になっていくため、送出ローラーが一定の回転力で帯状台紙を巻き出すと帯状台紙が弛んだり曲がったりしてしまいラベル印刷に不具合を起こす。
そこで、台紙保持軸のみを回転させるために専用のモーターを設けることも可能であるが、コストがアップすると共に前記モーターの回転数をロール状の帯状台紙の重量や直径に応じて変更しなくてはならず手間のかかる煩雑な作業が必要になる。
【課題を解決するための手段】
【０００５】
本考案は、上記の如き実情に鑑みこれらの課題を解決することを目的として創作されたものであり、請求項１の考案は、ロール状に巻かれた帯状台紙を保持するロール状帯状台紙保持ローラーと、このロール状帯状台紙保持ローラーに保持された前記帯状台紙を送出方向に送り出す送出ローラーと、前記帯状台紙を巻き取る紙巻取ローラーと、を備えると共に前記帯状台紙を印刷装置に供給する帯状台紙供給装置において、この帯状台紙供給装置のケーシングに突設されると共にロール状に巻かれた帯状台紙を手前側から取り付けることができるロール状帯状台紙片持保持ローラーと、このロール状帯状台紙片持保持ローラーを構成するロール状帯状台紙片持保持ローラーシャフトと、このロール状帯状台紙片持保持ローラーシャフトの基端部に設けられた円柱状の第１磁石と、前記ケーシングに内設されると共に前記第１磁石が回転可能に挿入される挿入孔を形成した円筒状の第２磁石と、前記ケーシングに設けられると共に前記帯状台紙にテンションをかけるダンサーローラー装置と、このダンサーローラー装置を構成すると共に前記帯状紙の中間部に載置されて帯状台紙に直接テンションをかけるダンサーローラーと、このダンサーローラーを上下方向移動自在にガイドするダンサーローラーガイド体と、を有してなることを特徴としている。
請求項２の考案は、ロール状に巻かれた帯状台紙を保持するロール状帯状台紙保持ローラーと、このロール状帯状台紙保持ローラーに保持された前記帯状台紙を送出方向に送り出す送出ローラーと、前記帯状台紙を巻き取る紙巻取ローラーと、を備えると共に前記帯状台紙を印刷装置に供給する帯状台紙供給装置において、この帯状台紙供給装置のケーシングのケーシング正面板から突設されると共にロール状に巻かれた帯状台紙を手前側から取り付けることができるロール状帯状台紙片持保持ローラーと、このロール状帯状台紙片持保持ローラーを構成するロール状帯状台紙片持保持ローラーシャフトと、このロール状帯状台紙片持保持ローラーシャフトの基端部にロール状帯状台紙片持保持ローラーシャフトと同軸上に設けられた円柱状の第１磁石と、前記ケーシングに内設されると共に前記第１磁石が回転可能に挿入される挿入孔を形成した円筒状の第２磁石と、前記ケーシングのケーシング正面板に設けられると共に前記帯状台紙にテンションをかけるダンサーローラー装置と、このダンサーローラー装置を構成すると共に前記帯状紙の中間部に載置されて帯状台紙に直接テンションをかけるダンサーローラーと、このダンサーローラーを上下方向移動自在にガイドするダンサーローラーガイド体と、を有してなることを特徴としている。
請求項３の考案は前記第１磁石を永久磁石でＳ極に、前記第２磁石を永久磁石でＮ極にすると共に前記第１磁石の外周面と第２磁石に形成された挿入孔の内周面との間に間隙を設けたことを特徴としている。
請求項４の考案は、前記ダンサーローラーシャフトの基端部にはスライド摺動部を形成し、前記ダンサーローラーガイドには上下方向に向かってスライド摺動部が嵌入収容されるガイド溝を形成したことを特徴としている。
【考案の効果】
【０００６】
本考案は、ダンサーローラー装置はダンサーローラーとダンサーローラーガイド体のみから構成されているので構成がシンプルであると共にダンサーローラー装置の部品点数を少なくできるという優れた効果を有する。
本考案は、ダンサーローラー装置は構成がシンプルであると共に部品点数を抑えることができるので、片持型帯状台紙供給装置の提供価格を抑えることができるという優れた効果を有する。
本考案は、ロール状帯状台紙片持保持ローラーを回転させるモーター等の専用駆動装置を設けなくてもロール状帯状台紙片持保持ローラーに保持されているロール状の帯状台紙の重量に対応させてロール状帯状台紙片持保持ローラーを円滑に回転させることができるという優れた効果を有する。
本考案は、ロール状の帯状台紙を保持するロール状帯状台紙片持保持ローラーはロール状の帯状台紙を手前側から片持ち保持することができるので力の弱い者でもロール状の帯状台紙を容易にロール状帯状台紙片持保持ローラーに着脱できるという優れた効果を有する。  
【図面の簡単な説明】
【０００７】
【図１】実施例の手前側台紙ストッパー板を取り外した状態の片持型帯状台紙供給装置の全体斜視図である。
【図２】実施例の片持型帯状台紙供給装置の側面図である。
【図３】実施例の片持型帯状台紙供給装置の一部概略拡大縦断面図である。
【図４】実施例の片持型帯状台紙供給装置の磁石取付ブラケットに取り付けられた状態の第２永久磁石を示す一部概略拡大斜視図である。
【図５】実施例の片持型帯状台紙供給装置のダンサーローラー装置のダンサーローラーとダンサーローラーガイド体を示す一部拡大斜視図である。
【図６】実施例の片持型帯状台紙供給装置の作動状態を示す全体斜視図である。
【図７】実施例の片持型帯状台紙供給装置及びラベル印刷機にセットされた帯状台紙を示す概略図である。
【考案を実施するための形態】
【０００８】
考案を実施するために最良の形態の例として以下のような実施例を示す。
【実施例１】
【０００９】
図１〜図７には片持型帯状台紙供給装置１０の一実施例が示されている。なお、この実施例で示される帯状台紙１は長尺状の公知の剥離紙で形成されている。この帯状台紙１の一面には所定のピッチ間隔で多数の矩形状のラベル２が仮着され、このラベル２は片持型帯状台紙供給装置１０と並んで配設されると共に片持型帯状台紙供給装置１０によって帯状台紙１が供給される公知のラベル印刷機３によって所定の文字、数字、記号等が印刷されるようになっている。
【００１０】
図１及び図２に示されるように、この片持型帯状台紙供給装置１０の平面視矩形状に形成されたベースプレート１２の奥側（図２左側）には直方体箱状のケーシング１４が立設固定されている。このケーシング１４の側面１４Ａには片持型帯状台紙供給装置１０のメインスイッチ１６（図１参照）が設けられている。
前記ケーシング１４のケーシング正面板１４Ｂの上部にはロール状帯状台紙片持保持ローラー１８が片持型帯状台紙供給装置１０の手前側（図２右側）に向かって突出状態で配設されている。このロール状帯状台紙片持保持ローラー１８のロール状帯状台紙片持保持ローラーシャフト２０の基端部は前記ケーシング１４の内部に挿入されている（図３参照）。
【００１１】
図３に示されるように、前記ロール状帯状台紙片持保持ローラーシャフト２０の基端部には第１磁石としての円柱状の第１永久磁石２２が同心状に固定されている。この実施例では第１永久磁石２２はＳ極に設定されている。
図３及び図４に示されるように、前記ケーシング１４の内部には第２磁石としての円筒状の前記第２永久磁石２４が磁石取付ブラケット２５によって設けられている。
図３に示されるように、第２永久磁石２４の挿入孔２４Ａには前記第１永久磁石２２が回転可能に挿入されている。なお、この実施例では前記第２永久磁石２４はＮ極に設定されている。前記第１永久磁石２２の外周面と前記第２永久磁石２４の挿入孔２４Ａの内周面との間には間隙Ｓが設けられている。
【００１２】
図１に示されるように、前記ケーシング１４の手前側に突出した前記ロール状帯状台紙片持保持ローラーシャフト２０の外側には合成樹脂材で円筒状に形成されたロール状帯状台紙片持保持ローラーシェル２６が設けられている。
図２に示されるように、ロール状帯状台紙片持保持ローラーシェル２６には奥側台紙ストッパー板３０と手前側台紙ストッパー板３２が取り付けられるようになっている。前記ロール状帯状台紙片持保持ローラーシェル２６に奥側台紙ストッパー板３０と手前側台紙ストッパー板３２を取り付けることにより、ロール状帯状台紙片持保持ローラー１８に保持されたロール状の帯状台紙１が空回りしたり、位置ずれしたりしないようになっている。
また、この手前側台紙ストッパー板３２はクランプレバー３４によって着脱可能に取り付けられている。従って、手前側台紙ストッパー板３２を取り外せばロール状帯状台紙片持保持ローラー２０の手前側の片側からロール状の帯状台紙１を取り付けたり取り外したりすることができるようになっている。
【００１３】
図６に示されるように、前記ロール状の帯状台紙１は紙管（図示せず）を芯として帯状の剥離紙をロール状に巻いて形成されている。この帯状台紙１の一面には所定のピッチ間隔で連続して多数のラベル２が粘着によって仮着されている。
【００１４】
図１に示されるように、前記ケーシング正面板１４Ｂの上部には一対の台紙残量センサー３６，３６が取り付けられている。この台紙残量センサー３６，３６は前記ロール状帯状台紙片持保持ローラー１８に保持されているロール状の帯状台紙１の直径寸法を検知することにより、ロール状帯状台紙片持保持ローラー１８に保持されている現在の帯状台紙１の残量を検知できるようになっている。従って、作業者は台紙残量センサー３６，３６によってロール状帯状台紙片持保持ローラー１８に保持されているロール状の帯状台紙１の残量を容易に知ることができる。
【００１５】
前記ロール状帯状台紙片持保持ローラー１８の下方には台紙送出ローラー４０が配設されている。この台紙送出ローラー４０の台紙送出ローラーブラケット４２の基端部は前記ケーシング正面板１４Ｂに取り付けられている。この台紙送出ローラーブラケット４２には台紙送出ローラーシャフト４４が枢支されている。
この台紙送出ローラーシャフトシャフト４４の基端部は前記ケーシング１４の内部に挿入され、ケーシング１４内に内設された台紙送出ローラー用モーター（図示せず）によって送り出し方向（図１矢印Ａ方向）に回転されるようになっている。
この台紙送出ローラーシャフトシャフト４４の外側にはゴムで形成された円筒状の台紙送出ローラーシェル４６が設けられている。
【００１６】
前記台紙送出ローラー４０と対向して従動ローラーとしてのニップローラー５０が配設されている。このニップローラー５０は前記台紙送出ローラー４０と前記帯状台紙１を挟持可能で、台紙送出ローラー４０と帯状台紙１を挟持することにより帯状台紙１に台紙送出ローラー４０の回転力を伝えるようになっている。
前記ニップローラー５０のニップローラーブラケット５２の基端部は前記ケーシング正面板１４Ｂに取り付けられている。このニップローラーブラケット５２にはニップローラーシャフト５４が枢支されている。このニップローラーシャフト５４の外側にはベアリング（図示せず）を介して合成樹脂材で形成された円筒状のニップローラーシェル５６が回転自在に設けられている。
前記ニップローラーブラケット５２にはニップローラーハンドル５８が設けられている。このニップローラーハンドル５８を回動することにより前記ニップローラー５０を台紙送出ローラー４０に当接させたり、台紙送出ローラー４０から離間させたりできるようになっている。
【００１７】
前記台紙送出ローラー４０の下方にはダンサーローラー装置６０が設けられている。このダンサーローラー装置６０は片持型帯状台紙供給装置１０にセットされた帯状台紙１にテンションをかけるダンサーローラー６１と、ダンサーローラー６１の上下動をガイドする前記ケーシング正面板１４Ｂに固定されたダンサーローラーガイド体６２と、から構成されている。
前記ダンサーローラー６１のダンサーローラーシャフト６４の外側にはベアリング（図示せず）を介して円筒状のダンサーローラーシェル６６が回転自在に設けられている。
図５に示されるように、前記ダンサーローラーシャフト６４の基端部には矩形状のスライド摺動部６８が形成されている。このスライド摺動部６８はダンサーローラーガイド体６２に上下方向に向かって形成された前記ガイド溝７０に嵌入状態で収容されるようになっている。
これにより、前記ダンサーローラー６１は前記ダンサーローラーガイド体６２にガイドされてダンサーローラーガイド体６２に沿って円滑に上方向（図７矢印Ｕ方向）及び下方向（図７矢印Ｄ方向）にスムーズにスライドできるようになっている。
【００１８】
図１に示されるように、前記ダンサーローラーガイド体６２を挟んでダンサーローラー検知センサー７４，７４が設けられている。このダンサーローラー検知センサー７４，７４はダンサーローラー検知センサー７４とダンサーローラー検知センサー７４の間をダンサーローラー６１が通過すると検知して台紙送出ローラー用モーターに信号を送るようになっている。これにより、前記台紙送出ローラー４０が図１矢印Ａ方向に回転して帯状台紙１を送り出すと共に一定時間後に台紙送出ローラー４０の前記回転が停止するようになっている。
【００１９】
また、前記台紙送出ローラー４０の斜め下方には台紙ガイドローラー７６が配設されている。この台紙ガイドローラー７６の台紙ガイドローラーシャフト７８の外側にはベアリング（図示せず）を介して合成樹脂材で形成された円筒状の台紙ガイドローラーシェル８０が回転自在に設けられている。
【００２０】
前記片持型帯状台紙供給装置１０の右側下部にはラベル２が剥がされた帯状台紙１を巻き取る台紙巻取ローラー８２が設けられている。この台紙巻取ローラー８２の基端部は前記ケーシング正面板１４Ｂに挿通されてケーシング１４内に配設されている。
前記台紙巻取ローラー８２はケーシング１４内に設けられた台紙巻取ローラー用モーター（図示せず）によって回転するようになっている。この台紙巻取ローラー８２は帯状台紙１のフィード時にラベル印刷機３から信号を受信して帯状台紙１を巻き取り、バックフィード時に帯状台紙１の巻き出しを行うようになっている。
前記台紙巻取ローラー８２には台紙挟持ピン８４が着脱可能に取り付けられている。この台紙挟持ピン８４は略Ｊ字状に形成されており、挟持部８４Ａと係止部８４Ｂが連続形成されている。
前記台紙挟持ピン８４の挟持部８４Ａと台紙巻取ローラー８２とで前記帯状台紙１の先端部を挟持できるようになっている。
【００２１】
図６に示されるように、前記台紙ガイドローラー７６の斜め下方には印刷装置ガイドローラー８６が配設されている。この印刷装置ガイドローラー８６は片持型帯状台紙供給装置１０の図６左側に設置された印刷装置としての公知のラベル印刷機３に帯状台紙１をガイドするものである。
前記印刷装置ガイドローラー８６の印刷装置ガイドローラーブラケット８８は前記ケーシング正面板１４Ｂに突出状態で固定されている。この印刷装置ガイドローラーブラケット８８には印刷装置ガイドローラーシャフト９０が枢支されている。この印刷装置ガイドローラーシャフト９０の外側にはベアリング（図示せず）を介して円筒状の印刷装置ガイドローラーシェル９２が回転自在に設けられている。
【００２２】
なお、前記ラベル印刷機３は公知のラベル印刷機であり、メインスイッチ４をオンすることによりラベル印刷機３内に供給された帯状台紙１に仮着されているラベル２に必要な文字、数字、記号等を印刷する印刷機である。
前記ラベル印刷機３にはラベル印刷機３内に供給される帯状台紙１を印刷部にフィードさせたりフィードバックさせる機構が設けられ、供給された帯状台紙１の一面に所定のピッチ間隔で連続して多数仮着されているラベル２に所定の文字、数字、記号等を印刷できるようになっている。
なお、図７に示されるように、前記ラベル印刷機３は所定の文字、数字、記号等をラベル２に印刷した後にラベル２を帯状台紙１から剥がすと共にラベル２が剥がされた帯状台紙１を折り返すラベル分離部５が設けられている。
【００２３】
図６に示されるように、前記紙巻取ローラー８２の斜め下方には台紙規制ローラー９４が配設されている。この台紙規制ローラー９４は前記ラベル印刷機３の内部でラベル２が剥がされた状態の帯状台紙１を規制して帯状台紙１が円滑に前記台紙巻取ローラー８２に巻き取られるようにラベル２が剥がされた帯状台紙１を規制する役目を有している。
前記台紙規制ローラー９４の台紙規制ローラーシャフト９６の外側にはベアリング（図示せず）を介して合成樹脂材で形成された円筒状の台紙規制ローラーシェル９８が回転自在に設けられている。
【００２４】
次に、帯状台紙１に仮着されたラベル２にラベル印刷機３で所定の文字、数字、記号等を印刷する場合を例にして実施例の片持型帯状台紙供給装置１０の作用を説明する。
【００２５】
最初に、紙管を芯にしてロール状に巻かれたロール状の帯状台紙１を前記ロール状帯状台紙片持保持ローラー１８に取り付ける場合は、クランプレバー３４を取り外してロール状帯状台紙片持保持ローラー１８から手前側台紙ストッパー板３２を取り外す。
そして、作業者はロール状の帯状台紙１を持ってロール状帯状台紙片持保持ローラー１８をロール状の帯状台紙１の紙管に挿入し、再び手前側台紙ストッパー板３２をロール状帯状台紙片持保持ローラー１８に取り付けてクランプレバー３４で手前側台紙ストッパー板３２を固定する。
従って、片持型帯状台紙供給装置１０にロール状の帯状台紙１をセットする場合、ロール状帯状台紙片持保持ローラー１８は片持ち支持タイプであるので、ロール状の帯状台紙１を持つってロール状の帯状台紙１をロール状帯状台紙片持保持ローラー１８の手前の片側から挿入するだけで取り付けることができ、力の弱い女性の作業者等でも容易に重いロール状の帯状台紙１をロール状帯状台紙片持保持ローラー１８にセットすることができる。
【００２６】
前記ロール状帯状台紙片持保持ローラー１８にロール状の帯状台紙１を保持させたら帯状台紙１の先端部を引き出して帯状台紙１を図６に示すように、台紙送出ローラー４０とニップローラー５０とで挟持して、ダンサーローラー６１の下面に密着当接させて、台紙ガイドローラー７６の上面に密着当接させて、印刷装置ガイドローラー８６の下方に配設した後に印刷装置ガイドローラー８６を介して図７に示すようにラベル印刷機３の内部にも帯状台紙１をセットする。
図７に示されるように、前記ラベル印刷機３の内部では帯状台紙１をラベル分離部５で折り返し、台紙規制ローラー９４の下面に当接させて配設した後に帯状台紙１の先端部を前記台紙巻取ローラー８２と台紙挟持ピン８４の挟持部８４Ａとで挟持して前記台紙巻取ローラー８２を少し回転させて帯状台紙１の先端部を台紙巻取ローラー８２に巻き付ける。
以上の作業により、片持型帯状台紙供給装置１０及びラベル印刷機３への帯状台紙１のセット作業が完了する。
【００２７】
そして、片持型帯状台紙供給装置１０のメインスイッチ１６とラベル印刷機３のメインスイッチ４をオンして、片持型帯状台紙供給装置１０とラベル印刷機３を始動させる。
片持型帯状台紙供給装置１０が始動するとフィード信号を台紙送出ローラーモーターが受けて、台紙送出ローラー４０が送り出し方向（図１矢印Ａ方向）に回転する。
これにより、前記帯状台紙１は図７矢印Ｘ方向に引っ張られ、帯状台紙１が引っ張られることによりロール状帯状台紙片持保持ローラー１８も回転する。
なお、この際、ロール状帯状台紙片持保持ローラーシャフト２０に固定されている第１永久磁石２２は第２永久磁石２４の挿入孔２４Ａに挿入されているため、前記第１永久磁石２２と前記第２永久磁石２４との間には互いに引き付け合う磁力が発生しているが、第１永久磁石２２と第２永久磁石２４の間に間隙Ｓを設けることによって前記磁力が弱められロール状帯状台紙片持保持ローラーシャフト２０は回転する。
しかも、前記第１永久磁石２２を第２永久磁石２４の挿入孔２４Ａに挿入することにより、印刷が開始されて間もない大径で重いロール状の帯状台紙１でも、印刷が開始されてから時間が経過して小径で軽くなったロール状の帯状台紙１でも、ロール状の帯状台紙１の重量に対応してロール状の帯状台紙１を保持するロール状帯状台紙片持保持ローラー１８を円滑に回転させることができる。
従って、ロール状に巻かれた帯状台紙１を保持したロール状帯状台紙片持保持ローラー１８を円滑に回転させることができるためロール状帯状台紙片持保持ローラー１８に専用モーターを設けたり、ロール状帯状台紙片持保持ローラー１８に保持されるロール状の帯状台紙１の重量により専用モーターを調節してロール状帯状台紙片持保持ローラー１８の回転数を変更させたりする必要がないので、コストを抑えることができると共に煩雑な手間を不要にできる。
また、前記ラベル印刷機３も始動することにより、前記帯状台紙１は図７矢印Ｘ方向に引っ張られ、帯状台紙１がラベル印刷機３に供給されることにより、ダンサーローラー６１はダンサーローラー６１の下面に当接している帯状台紙１によって図７矢印Ｕ方向に上昇する。
ダンサーローラー６１は帯状台紙１の中間部に載置された状態であるのでダンサーローラー６１の重さが全て常に帯状台紙１にかかることにより、帯状台紙１にはテンションがかかり帯状台紙１は弛んだり曲がったりしない。
従って、帯状台紙１はテンションがかかった状態でラベル印刷機３に供給されるため帯状台紙１は弛んだり曲がったりしないでラベル印刷機３に供給されて帯状台紙１に仮着されているラベル２に正確に所定の文字、数字、記号等が印刷される。
また、前記ラベル印刷機３が帯状台紙１をフィードバックさせると、フィードバックにより帯状台紙１は弛もうとするがダンサーローラー６１は帯状台紙１の中間部に載置された状態で図７矢印Ｄ方向に下がるため帯状台紙１にはダンサーローラー６１の重さが常にかかる。
従って、フィードバック状態になっても帯状台紙１は弛んだり曲がったりしないので帯状台紙１にテンションがかかった状態で所定のフィードバックを円滑に行うことができる。
しかも、前記ダンサーローラー装置６０はダンサーローラー専用の駆動装置等を用いてなくダンサーローラー６１とダンサーローラーガイド体６２だけの構成である。
従って、ダンサーローラー装置６０はシンプルな構成であると共に部品点数もダンサーローラー６１及びダンサーローラーガイド体６２だけであるので部品点数を少なくすることができる。
【００２８】
なお、実施例では第１磁石として第１永久磁石２２を、第２磁石として第２永久磁石２４を、としたが、第１磁石及び第２磁石は磁石であれば永久磁石に限定されるものでないことは勿論である。
また、実施例では第１磁石をＳ極、第２磁石をＮ極としたが、第１磁石をＮ極に、第２磁石をＳ極に、してもよいことは勿論である。
【００２９】
なお、実施例では帯状台紙１として長尺状の公知の剥離紙で形成されたものを示したが、帯状台紙１の材質は実施例に示したものに限定されるものでなく、例えば帯状の通常紙や合成樹脂製のシート体等でもよいことは勿論である。
また、実施例では帯状台紙１にラベル２を仮着してラベル２に印刷をする場合を示したがこれに限定されるものでなく、例えば帯状台紙１に直接文字、数字、記号等を印刷する場合に片持型帯状台紙供給装置１０を使用してもよいことは勿論である。
【符号の説明】
【００３０】
１０    片持型帯状台紙供給装置
１２    ベースプレート
１４    ケーシング
１４Ｂ  ケーシング正面板  
１８    ロール状帯状台紙片持保持ローラー
２０    ロール状帯状台紙片持保持ローラーシャフト
２２    第１永久磁石
２４    第２永久磁石
２４Ａ  挿入孔
２５    磁石取付ブラケット
２６    ロール状帯状台紙片持保持ローラーシェル
３０    奥側台紙ストッパー板
３２    手前側台紙ストッパー板
３４    クランプレバー
３６    台紙残量センサー
４０    台紙送出ローラー
４２    台紙送出ローラーブラケット
４４    台紙送出ローラーシャフト
４６    台紙送出ローラーシェル
５０    ニップローラー
５２    ニップローラーブラケット
５４    ニップローラーシャフト
５６    ニップローラーシェル
５８    ニップローラーハンドル
６０    ダンサーローラー装置
６１    ダンサーローラー
６２    ダンサーローラーガイド体
６４    ダンサーローラーシャフト
６６    ダンサーローラーシェル
６８    スライド摺動部
７０    ガイド溝
７４    ダンサーローラー検知センサー
７６    台紙ガイドローラー
７８    台紙ガイドローラーシャフト
８０    台紙ガイドローラーシェル
８２    台紙巻取ローラー
８４    台紙挟持ピン
８６    印刷装置ガイドローラー
８８    印刷装置ガイドローラーブラケット
９０    印刷装置ガイドローラーシャフト
９２    印刷装置ガイドローラーシェル
９４    台紙規制ローラー
９６    台紙規制ローラーシャフト
９８    台紙規制ローラーシェル
【図１】
0003199254.tif 000003
【図２】
0003199254.tif 000004
【図３】
0003199254.tif 000005
【図４】
0003199254.tif 000006
【図５】
0003199254.tif 000007
【図６】
0003199254.tif 000008
【図７】
0003199254.tif 000009